(57)【特許請求の範囲】
【請求項１】
オリジナル音声を符号化したオリジナル音声符号化データを記録してある記録媒体上の記録領域に、前記オリジナル音声記録時の半分の符号化レートを有するオリジナル音声再符号化データと、前記オリジナル音声再符号化データと同一の符号化レートでアフレコ音声を符号化したアフレコ音声符号化データとを、前記オリジナル音声符号化データに置き換えて時分割多重記録し、また時分割記録した前記アフレコ音声符号化データを読み出して復号することにより前記アフレコ音声を再生する記録再生装置であって、
前記オリジナル音声又は前記アフレコ音声のいずかが供給され、前記オリジナル音声が供給されるときには前記オリジナル音声符号化データに符号化して出力し、また前記アフレコ音声が供給される場合には前記アフレコ音声符号化データに符号化して出力する音声符号化手段と、
前記音声符号化手段から供給される前記オリジナル音声符号化データを前記記録媒体上に記録する記録手段と、
記録済みの前記記録媒体を走査して前記記録領域から前記オリジナル音声符号化データを読み出す再生手段と、
前記再生手段で読み出した前記オリジナル音声符号化データを復号して前記オリジナル音声を出力する音声復号手段と、
前記音声符号化手段に前記アフレコ音声が供給されるときには、前記音声復号手段から出力する前記オリジナル音声を前記オリジナル音声再符号化データに再符号化して出力する音声再符号化手段と、
前記音声符号化手段と前記記録手段との間に介挿されており、前記音声再符号化手段から供給される前記オリジナル音声再符号化データと、前記音声符号化手段から供給される前記アフレコ音声符号化データを時分割出力する合成手段とを有することを特徴とする記録再生装置。
【発明の詳細な説明】
【０００１】
【発明の属する技術分野】
本発明は、映像信号、音声信号の記録再生装置に係り、特に、ディスク状の記録媒体を用いた装置で、アフターレコーディング（アフレコ）を可能とした記録装置に関する。
【０００２】
【従来の技術】
最近、映像信号、音声信号をそれぞれ符号化して、ディスク媒体等の記録媒体に記録する記録再生装置は種々提案されている。
このような記録再生装置は、映像信号、音声信号をそれぞれ符号化し、時分割した１つのデータ列として記録し、再生時には時分割データを映像信号、音声信号に分離して各々の同期をとって再生している。
このような記録再生装置において、一旦記録した映像信号を再生しながら音を新たに記録するアフターレコーディング、いわゆるアフレコに関して、特開平１１−１６８６９３号公報で、画質劣化を発生させず、映像信号との同期を確保するアフレコの実現方法が示されている。
【０００３】
【発明が解決しようとする課題】
しかしながら、前記公報のような記録再生装置では、従来のＤＶＤプレーヤで使用している安価な駆動装置、再生アルゴリズムでは、記録されたディスクはアフレコ部分を再生することが出来ない。すなわち、オリジナル映像音声部分とアフレコ音声部分がディスクの別の領域に記録されているため、再生アルゴリズムを変更しなければアフレコ部分にアクセス出来ない。
【０００４】
また、再生ヘッドが１つしかないため、オリジナル部分とアフレコ部分をジャンプを繰り返しながら交互に再生をしなければならない。そのため、ヘッドアクセス時間の短い、高価な駆動装置が必要となる。
また、公報のディスクは従来のＤＶＤプレーヤの駆動装置を記録可能ディスク対応に小変更しただけで再生出来るものの、音声はアフレコ音声しか再生されない。なぜならば、上記公報の記録方式は、オリジナル音声をアフレコ音声によってオーバーライトすることが前提となっているからである。
【０００５】
本発明は、上述した課題を解決し、従来のＤＶＤプレーヤを記録可能ディスク対応に小変更するだけで、オリジナル音声とアフレコ音声を切り換えて再生出来る、アフターレコーディング、いわゆるアフレコを可能とする装置を提供するものである。
【０００６】
【課題を解決するための手段】
上記課題を達成するために、本発明は次の構成を有する記録再生装置を提供する。
オリジナル音声を符号化したオリジナル音声符号化データを記録してある記録媒体上の記録領域に、前記オリジナル音声記録時の半分の符号化レートを有するオリジナル音声再符号化データと、前記オリジナル音声再符号化データと同一の符号化レートでアフレコ音声を符号化したアフレコ音声符号化データとを、前記オリジナル音声符号化データに置き換えて時分割多重記録し、また時分割記録した前記アフレコ音声符号化データを読み出して復号することにより前記アフレコ音声を再生する記録再生装置であって、
前記オリジナル音声又は前記アフレコ音声のいずかが供給され、前記オリジナル音声が供給されるときには前記オリジナル音声符号化データに符号化して出力し、また前記アフレコ音声が供給される場合には前記アフレコ音声符号化データに符号化して出力する音声符号化手段と、
前記音声符号化手段から供給される前記オリジナル音声符号化データを前記記録媒体上に記録する記録手段と、
記録済みの前記記録媒体を走査して前記記録領域から前記オリジナル音声符号化データを読み出す再生手段と、
前記再生手段で読み出した前記オリジナル音声符号化データを復号して前記オリジナル音声を出力する音声復号手段と、
前記音声符号化手段に前記アフレコ音声が供給されるときには、前記音声復号手段から出力する前記オリジナル音声を前記オリジナル音声再符号化データに再符号化して出力する音声再符号化手段と、
前記音声符号化手段と前記記録手段との間に介挿されており、前記音声再符号化手段から供給される前記オリジナル音声再符号化データと、前記音声符号化手段から供給される前記アフレコ音声符号化データを時分割出力する合成手段とを有することを特徴とする記録再生装置。
【０００７】
【発明の実施の形態】
本発明の記録再生装置の実施の形態につき、好ましい一実施例により、以下に図１乃至図１０と共に説明する。
【０００８】
（第１の実施例）
図１は、本発明の記録再生装置の第１の実施例のブロック構成図である。
図１に示される本発明の記録再生装置の第１の実施例は、光ディスク１、再生ヘッド２、再生回路３、復号回路４、表示回路５、音声入力回路６、符号化回路７、合成回路８、メモリ回路９，１３，１４、記録回路１０、記録ヘッド１１、時間情報付加回路１２、分離回路１５、音声復号回路１６、音声出力回路１７、映像入力回路１８、及び映像符号化回路１９より構成されている。
【０００９】
オリジナル記録、すなわち映像及びオリジナル音声を記録する場合について、以下に説明する。
図１において、映像信号は映像入力回路１８より入力され、映像符号化回路１９にて符号化され、映像符号化データとなる。オリジナル音声は音声入力回路６より入力され、音声符号化回路７にて符号化され、音声符号化データとなる。それぞれの符号化データは合成回路８にて時間軸多重される。
【００１０】
図２に合成回路８の音声データの合成の仕方を示す。
合成回路８は、映像符号化データ（Ｖ）と音声符号化データ（Ａ）を時分割して多重化するものであるが、音声符号化データ（Ａ）をストリームＩＤを変えて、２箇所に多重化する（Ａ１、Ａ２）。
【００１１】
合成回路８から出力された合成データ（映像及び２つの音声符号化データ）はメモリ回路９に一時記憶される。
その後で、メモリ回路９の出力は、記録回路１０にて記録信号に変換され、記録ヘッド１１によって、記録媒体である光ディスク１上に記録される。
【００１２】
つぎに、アフターレコーディングにおいて、アフレコ音声を記録する場合について説明する。
図１において、映像及び音声符号化データが記録されている記録媒体、例えば光ディスク１より再生ヘッド２にて信号を再生し、再生回路３により、映像及び音声符号化データが得られる。
【００１３】
この映像及び音声符号化データはメモリ回路１３を経て、分離回路１５で映像符号化データと音声符号化データとに分離される。
映像符号化データは映像復号回路４にて復号され映像信号を得、表示回路５にて映像が表示される。音声符号化データは音声復号回路１６にて復号され音声信号を得、音声出力回路１７にて音声が出力される。
【００１４】
一方、アフレコ音声は、マイクロホン（図示せず）を介して音声入力回路６より入力され、音声符号化回路７にて符号化され、音声符号化データとなる。このときの符号化レートは、オリジナル記録時と等しくする。
アフレコ音声符号化データは、再生された前記映像及びオリジナル音声符号化データと時間軸多重されるため、合成回路８に供給される。
【００１５】
合成回路８の出力データはメモリ回路９にて一旦記録される。メモリ回路９の出力データは記録回路１０にて記録信号に変換され、記録ヘッド１１によって、通常再生時の少なくとも倍以上の回転数で回転している光ディスク１上の元の符号化データが記録されている位置に置き換えて記録される。
【００１６】
なお、音声符号化データには、合成回路８にて合成が行われる際、映像符号化データに記録されている時間情報に基づいて新たに時間情報を生成し、時間情報付加回路１２にて時間情報を付加してもよい。また、メモリ回路１３は、間欠再生のためには必要なものである。
【００１７】
また、メモリ回路１３と合成回路８の間に、アフレコ音声符号化データとのタイミングを調整するメモリ回路１４を挿入している。さらに、再生ヘッド２と記録ヘッド１１は同一のヘッドで録再兼用にしてもよい。
【００１８】
図３は、この構成によるタイミングチャートを示したものである。
図３のうち、合成データ（同図（ｆ））のＶは映像符号化データ、Ａ１はオリジナル音声符号化データ、記録された音声符号化データＡ２と置き換えられるＡ３はアフレコ音声符号化データを示している。
【００１９】
図３において、時刻Ｔ１より、メモリ回路１３に蓄積されたデータ量が空にならないように、再生動作が間欠的に行われ（ａ）、映像符号化データ及びオリジナル音声符号化データが復号化され、映像及びオリジナル音声信号（ｃ）が時刻Ｔ２より再生される。
【００２０】
その映像にあわせて上述したように使用者がアフレコをするので、アフレコ音声信号（ｄ）が入力され、これが符号化されてアフレコ音声符号化データとなり、再生された映像符号化データ及びオリジナル音声符号化データと合成回路８にて時間軸多重され合成データ（ｆ）となる。
前述したように、この際、メモリ回路１４にてタイミング調整を行ってもよく、また時間情報付加回路１２にて時間情報を付加してもよい。
【００２１】
合成データ（ｆ）はメモリ回路９、記録回路１０を経て、メモリ回路９のデータ量がオーバーフローしないように、かつ、再生期間（ａ）と重ならないように、（Ｖ＋Ａ１＋Ａ３）の単位で時刻Ｔ４より記録ヘッド１１にて間欠記録される（ｇ）。
【００２２】
なお、前記のアフレコ音声符号化データＡ３は、記録された音声符号化データＡ２の符号化レートと同じ符号化レートとなるように、ダミーデータを付加して符号化がなされるので、合成回路８で合成される際には音声符号化データＡ２の部分と過不足なく置き換えられる。
【００２３】
（第２の実施例）
つぎに、本発明の記録再生装置の第２の実施例を図を用いて説明する。
図４は本発明の記録再生装置の第２の実施例のブロック構成図である。
図４が図１と比較して異なるところは、図１の音声符号化回路７に対して図４の音声符号化回路２７がマルチチャンネル対応となって、オリジナル音声とアフレコ音声をチャンネルを分けることによって一つの音声符号化データを出力することである。従って、合成回路８は、映像符号化データと一つの音声符号化データを時間軸多重化する。
【００２４】
オリジナル記録、すなわち映像及びオリジナル音声を記録する場合について、以下に説明する。
図４において、映像信号は映像入力回路１８より入力され、映像符号化回路１９にて符号化され、映像符号化データとなる。
オリジナル音声は音声入力回路６より入力され、音声複製回路６Ａにてチャンネル数を倍に増やした後、音声符号化回路２７にてマルチチャンネル符号化がなされ、音声符号化データとなる。それぞれの符号化データは合成回路８にて時間軸多重される。
【００２５】
図５に合成回路８における音声データの合成の仕方を示す。
音声符号化は、入力されたオリジナル音声、ここでは２チャンネルステレオを内部（音声複製回路６Ａ）で複製を作ることによって４チャンネルに増やす。
そして４チャンネル音声のマルチチャンネル符号化を行い、音声符号化データを出力する。この場合、合成回路８は、映像符号化データと音声符号化データをそのまま時分割して多重化する。
【００２６】
合成回路８から出力された合成データ（映像及び音声符号化データ）はメモリ回路９に一時記憶され、その後で、記録回路１０にて記録信号に変換され、記録ヘッド１１により、光ディスク１上に記録される。
【００２７】
アフターレコーディングにおいて、アフレコ音声を記録する場合について、以下に説明する。
図４において、映像及び音声符号化データが記録されている記録媒体、例えば光ディスク１より再生ヘッド２にて信号を再生し、再生回路３により、映像及び音声符号化データが得られる。
この映像及び音声符号化データはメモリ回路１３を経て、分離回路１５で映像符号化データと音声符号化データに分離される。
【００２８】
映像符号化データは映像復号回路４にて復号され映像信号を得、表示回路５にて映像が表示される。
音声符号化データは音声復号回路１６にて復号され音声信号を得、音声出力回路１７にて音声が出力される。
【００２９】
一方、アフレコ音声は、マイクロホン（図示せず）を介して音声入力回路６より入力され、音声複製回路６Aは今回は内部でスルーし、オリジナル音声と共に、音声符号化回路２７にて符号化され、音声符号化データとなる。このときの符号化レートは、オリジナル記録時と等しくする。
【００３０】
新しい音声符号化データは、再生された前記映像符号化データと時間軸多重されるため合成回路８に入力される。合成回路８の出力データはメモリ回路９にて一旦記録される。メモリ回路９の出力データは記録回路１０にて記録信号に変換され、記録ヘッド１１によって、通常再生時の少なくとも倍以上の回転数で回転している光ディスク１上の元の符号化データが記録されている位置に置き換えて記録される。
【００３１】
また、第１の実施例において、アフレコ済みのディスクの再生は、音声ストリームＩＤを切り換えて、音声信号の復号をすることによって、オリジナル音声とアフレコ音声を切り換えて再生することが可能である。
【００３２】
また、第２の実施例においては、再生チャンネルを選択することによりオリジナル音声とアフレコ音声を切り換えて再生することが可能である。また両方同時に再生することも可能である。また両方同時に再生した後音声をミックス（混合）して出力することも可能であり、今までにないアフレコ音声の再生装置を提供するものである。
また、記録媒体としては、光ディスクの他に、光磁気ディスク、磁気ディスクが考えられる。
【００３３】
（第３の実施例）
つぎに、本発明の記録再生装置の第３の実施例について、図と共に以下に説明する。
図６は、本発明の記録再生装置の第３の実施例のブロック構成図である。
図６に示される本発明の記録再生装置の第３の実施例は、光ディスク１、再生ヘッド２、再生回路３、復号回路４、表示回路５、音声入力回路６、音声符号化回路７，２０、合成回路８、メモリ回路９，１３，１４、記録回路１０、記録ヘッド１１、分離回路１５、音声復号回路１６、音声出力回路１７、映像入力回路１８、及び映像符号化回路１９より構成されている。
【００３４】
オリジナル記録、すなわち映像及びオリジナル音声を記録する場合について、以下に説明する。
図６において、映像信号は映像入力回路１８より入力され、映像符号化回路１９にて符号化され、映像符号化データとなる。
オリジナル音声は音声入力回路６より入力され、音声符号化回路７にて符号化され、音声符号化データとなる。それぞれの符号化データは合成回路８にて合成（時間軸多重）される。
【００３５】
図７（ａ）に合成回路８における音声データの合成の仕方を示す。
合成回路８は、映像符号化データ（Ｖ）と音声符号化データ（Ａ）を時分割して多重化するものである。
【００３６】
合成回路８から出力された合成データ（映像及び音声符号化データ）はメモリ回路９に一時記憶される。
その後で、メモリ回路９の出力は、記録回路１０にて記録信号に変換され、記録ヘッド１１により、記録媒体である光ディスク１上に記録される。
【００３７】
つぎに、アフターレコーディングにおいて、アフレコ音声を記録する場合について説明する。
図６において、映像及び音声符号化データが記録されている記録媒体、例えば光ディスク１より再生ヘッド２にて信号を再生し、再生回路３により、映像及び音声符号化データが得られる。
【００３８】
この映像及び音声符号化データはメモリ回路１３を経て、分離回路１５で映像符号化データと音声符号化データとに分離される。
映像符号化データは映像復号回路４にて復号され映像信号を得、表示回路５にて映像が表示される。音声符号化データは音声復号回路１６にて復号され音声信号を得、音声出力回路１７にて音声が出力される。
【００３９】
音声復号回路１６にて復号されたオリジナル音声信号は音声符号化回路２０にて再度、符号化（再符号化）される。このときの符号化レートは、オリジナル記録時の半分とする。
一方、アフレコ音声は、マイクロホン（図示せず）を介して音声入力回路６より入力され、音声符号化回路７にて符号化され、音声符号化データとなる。
【００４０】
この時の符号化レートは、前記のオリジナル音声の再符号化の場合と同様に、オリジナル音声記録時の半分の符号化レートにする。
２つの音声符号化データは、再生された前記映像符号化データと時間軸多重されるため合成回路８に供給される。
【００４１】
なお、第１の実施例と同様に構成して時間情報付加回路を設けて、合成回路８にて合成が行われる際、映像符号化データに記録されている時間情報に基づいて新たに時間情報を生成し、時間情報付加回路１２にて時間情報を音声符号化データに付加してもよい。
【００４２】
図７（ｂ）に合成回路８における音声データ合成、多重化の仕方を示した。
合成回路８は、映像符号化データ（Ｖ）とストリームＩＤを変えた２つの音声符号化データ（Ａ４、Ａ５）を時分割して多重化する。
合成回路８の出力データはメモリ回路９に一旦記憶される。メモリ回路９の出力データは記録回路１０にて記録信号に変換され、記録ヘッド１１によって、通常再生時の少なくとも倍以上の回転数で回転している光ディスク１上に記録される。なお、メモリ回路１３は、間欠再生のために使用される。
【００４３】
また、メモリ回路１３と合成回路８の間に、アフレコ音声符号化データとのタイミングを調整するメモリ回路１４を挿入している。さらに、再生ヘッド２と記録ヘッド１１は同一のヘッドで録再兼用にしてもよい。
【００４４】
図８は、この構成によるタイミングチャートを示したもので、図８のうち、合成データ（同図（ｆ））のＶは映像符号化データ、Ａ４はオリジナル音声再符号化データ、Ａ５はアフレコ音声符号化データを示している。
【００４５】
図８において、時刻Ｔ１より、メモリ１３に蓄積されたデータ量が空にならないように、再生動作が間欠的に行われ（ａ）、映像符号化データ及びオリジナル音声符号化データが復号化され、映像及びオリジナル音声信号（ｃ）が時刻Ｔ２より再生される。
【００４６】
そのＴ２より再生される映像にあわせて上述したように使用者がアフレコをするので、アフレコ音声信号（ｄ）が入力され、これが符号化されてアフレコ音声符号化データとなり、再生された映像符号化データ及びオリジナル音声符号化データと合成回路８にて時間軸多重されて合成データ（ｆ）となる。
【００４７】
前記したように、この際、メモリ１４にてタイミング調整を行ってもよい。
合成データ（ｆ）はメモリ回路９を介して、記録回路１０に供給されて、メモリ回路９のデータ量がオーバーフローしないように、かつ、再生期間と重ならないように、時刻Ｔ4より記録ヘッド１１にて記録媒体に間欠記録される（図８（ｇ））。
【００４８】
なお、前記のオリジナル音声再符号化データＡ４及びアフレコ音声符号化データＡ５は、記録されたオリジナル音声符号化データＡの符号化レートの半分の符号化レートとなるようにダミーデータを追加して夫々符号化がなされるので、合成回路８で合成される際には、この符号化データＡ４とＡ５とは、過不足なくオリジナル音声符号化データＡの部分と置き換えられる。
【００４９】
（第４の実施例）
つぎに、本発明の記録再生装置の第４の実施例について、図と共に以下に説明する。
図９は本発明の記録再生装置の第４の実施例のブロック構成図である。
図９が図６と比較して異なるところは、音声符号化回路２７がマルチチャンネル対応となって、オリジナル音声とアフレコ音声をチャンネルを分けることによって一つの音声符号化データを出力することである。
従って、合成回路８は、映像符号化データと一つの音声符号化データを時間軸多重化する。
【００５０】
オリジナル記録、すなわち映像及びオリジナル音声を記録する場合について、以下に説明する。
図９において、映像信号は映像入力回路１８より入力され、映像符号化回路１９にて符号化され、映像符号化データとなる。
オリジナル音声は音声入力回路６より入力され、音声符号化回路２７にて符号化がなされ、音声符号化データとなる。それぞれの符号化データは合成回路８にて時間軸多重される。
なお、前記音声符号化回路２７への音声復号回路１６からの信号は記録時であるので、何も供給されない。
【００５１】
図１０（ａ）に合成回路８における音声データの合成の仕方を示す。
音声符号化は、入力されたオリジナル音声、ここでは２チャンネルステレオを符号化する。この場合、合成回路８は、映像符号化データと音声符号化データをそのまま時分割して多重化する。
【００５２】
合成回路８から出力された合成データ（映像及び音声符号化データ）はメモリ回路９に一時記憶されその後で、記録回路１０にて記録信号に変換され、記録ヘッド１１により、光ディスク１上に記録される。
【００５３】
アフターレコーディングにおいて、アフレコ音声を記録する場合について、以下に説明する。
図９において、映像及び音声符号化データが記録されている記録媒体、例えば光ディスク１より再生ヘッド２にて信号を再生し、再生回路３により、映像及び音声符号化データが得られる。
【００５４】
この映像及び音声符号化データはメモリ回路１３を経て、分離回路１５で映像符号化データと音声符号化データに分離される。
映像符号化データは映像復号回路４にて復号され映像信号を得、表示回路５にて映像が表示される。音声符号化データは音声復号回路１６にて復号され音声信号を得、音声出力回路１７にて音声が出力される。
【００５５】
一方、アフレコ音声は、マイクロホン（図示せず）を介して音声入力回路６より入力され、再生されたオリジナル音声と共に、音声符号化回路２７にて新しく符号化され、音声符号化データとなる。
このときの符号化レート（圧縮パラメータ）は、オリジナル音声の記録時の符号化レートの半分として符号化する。
新しい音声符号化データは、再生された前記映像符号化データと時間軸多重されるため合成回路８に入力される。
【００５６】
図１０（ｂ）に合成回路８における音声データの合成の仕方を示す。
音声符号化は、入力されたオリジナル音声２チャンネルステレオとアフレコ音声２チャンネルの合計４チャンネルのマルチチャンネル符号化を各チャンネルの圧縮率を２倍に高めて行い、音声符号化データを出力する。
よって、この４チャンネル符号化時の圧縮符号化レート（圧縮パラメータ）は、オリジナルの２チャンネル記録時と同一のレートとなるようにする。
【００５７】
この場合、合成回路８は、映像符号化データと音声符号化データをそのまま時分割して多重化する。合成回路８から出力された合成データ（映像及び音声符号化データ）はメモリ回路９を介して、記録回路１０にて記録信号に変換され、記録ヘッド１１によって、通常再生時の少なくとも倍以上の回転数で回転している光ディスク１上の元の符号化データが記録されている位置に記録される。
【００５８】
また、第３の実施例において、アフレコ記録済みのディスクの再生は、音声ストリームＩＤを切り換えて、音声信号の復号をすることによって、オリジナル音声とアフレコ音声を切り換えて再生することが可能である。
【００５９】
また、第４の実施例において、再生チャンネルを選択することによってオリジナル音声とアフレコ音声を切り換えて再生することが可能である。また両方同時に再生することも可能である。
【００６０】
また、両方同時に再生した後音声をミックスして出力することも可能であり、今までにないアフレコ音声の再生装置を提供するものである。
これらの信号を切り換える切換混合装置は、音声出力回路１７の中に構成されている。
また、記録媒体としては、光ディスクの他に、光磁気ディスク、磁気ディスクでもよい。
【００６１】
【発明の効果】
以上のように、本発明によれば、図７（ａ）（ｂ）に示すように、オリジナル音声符号化データの記録部分Ａに、オリジナル音声再符号化データＡ４及びアフレコ音声符号化データＡ５を過不足なく、置き換え時分割記録することができる。またオリジナル音声再符号化データＡ４及びアフレコ音声符号化データＡ５を時分割多重記録してあるので、録再時のアクセスが瞬時に出来て効率がよい。
【図面の簡単な説明】
【図１】本発明の記録再生装置の第１の実施例のブロック構成を示した図である。
【図２】本発明の記録再生装置を構成する合成回路の音声データの合成、多重化の様子を説明した図を示す。
【図３】本発明の記録再生装置の駆動のタイミングチャートを示す。
【図４】本発明の第２の実施例のブロック構成を示した図である。
【図５】本発明の記録再生装置を構成する合成回路における音声データの合成、多重化の様子を説明した図を示す。
【図６】本発明の第３の実施例のブロック構成を示した図である。
【図７】本発明の記録再生装置を構成する合成回路における音声データの合成、多重化の様子を説明した図を示す。
【図８】本発明の記録再生装置の駆動のタイミングチャートを示す。
【図９】本発明の第４の実施例のブロック構成を示した図である。
【図１０】本発明の記録再生装置を構成する合成回路における音声データの合成、多重化の様子を説明した図を示す。
【符号の説明】
１  光ディスク（記録媒体）
２  再生ヘッド
３  再生回路
４  復号回路
５  表示回路
６  音声入力回路
６Ａ  音声複製回路
７，２０，２７  音声符号化回路
８  合成回路
９  メモリ（第２のメモリ回路）
１０  記録回路
１１  記録ヘッド
１２  時間情報付加回路
１３  メモリ（第１のメモリ回路）
１４  メモリ（第３のメモリ回路）
１５  分離回路
１６  音声復号回路
１７  音声出力回路
１８  映像入力回路
１９  映像符号化回路
【図１】
0003909650.tif 000002
【図２】
0003909650.tif 000003
【図３】
0003909650.tif 000004
【図４】
0003909650.tif 000005
【図５】
0003909650.tif 000006
【図６】
0003909650.tif 000007
【図７】
0003909650.tif 000008
【図８】
0003909650.tif 000009
【図９】
0003909650.tif 000010
【図１０】
0003909650.tif 000011